(57)【要約】【課題】異なるサイズのコネクタに対応して導通検査を行うこと。【解決手段】コネクタ導通検査装置１０は、嵌合方向に直交する一方向の寸法が異なる複数サイズが用意されたコネクタをそれぞれ寸法が異なる一方向が幅方向に沿う姿勢で支持可能な支持凹部３２が形成されたホルダー３０と、ホルダー３０に支持されるコネクタの複数の端子の有無を検知可能な複数の検査子２４が設けられた検査部２０と、ホルダー３０と検査部２０とを相対接離移動可能な移動機構部７０とを備えている。ホルダー３０には、支持凹部３２の幅方向一方側に設けられて幅方向他方側に進出する進出位置と退避位置との間で移動可能で、コネクタそれぞれに対して支持凹部３２の幅方向一方側から接触してコネクタを支持凹部３２の幅方向他方側に寄せた位置に位置決め可能な位置決め部４０が設けられている。【選択図】図２
2014157660.tif 000002
【特許請求の範囲】
【請求項１】
嵌合方向に直交する一方向の寸法が異なる複数サイズが用意されたコネクタの導通検査をするコネクタ導通検査装置であって、
前記コネクタを挿入可能な挿入用開口が設けられて、前記コネクタをそれぞれ寸法が異なる前記一方向が幅方向に沿う姿勢で支持可能な支持凹部が形成されたホルダーと、
前記ホルダーに支持される前記コネクタの複数の端子に対して接続方向前方からそれぞれ対向する位置に設けられて前記端子の有無を検知可能な複数の検査子が設けられた検査部と、
前記ホルダーと前記検査部とを、前記ホルダーに支持される前記コネクタと前記複数の検査子とが対向する方向に相対接離移動可能な移動機構部と、
を備え、
前記ホルダーには、前記支持凹部の幅方向一方側に設けられて幅方向他方側に進出する進出位置と退避位置との間で移動可能で、前記コネクタそれぞれに対して前記支持凹部の幅方向一方側から接触して前記コネクタを前記支持凹部の幅方向他方側に寄せた位置に位置決め可能な位置決め部が設けられている、コネクタ導通検査装置。
【請求項２】
請求項１に記載のコネクタ導通検査装置であって、
前記位置決め部は、前記支持凹部に前記コネクタが支持されていない状態で、前記進出位置に維持されるように構成されている、コネクタ導通検査装置。
【請求項３】
請求項２に記載のコネクタ導通検査装置であって、
前記ホルダーには、前記位置決め部を前記進出位置側に付勢する位置決め付勢部が設けられている、コネクタ導通検査装置。
【請求項４】
請求項１から請求項３のいずれか一項に記載のコネクタ導通検査装置であって、
前記ホルダーには、前記位置決め部に係止して前記位置決め部を前記進出位置に維持するロック部が設けられている、コネクタ導通検査装置。
【請求項５】
請求項１から請求項４のいずれか一項に記載のコネクタ導通検査装置であって、
前記支持凹部内に配設された前記コネクタが前記支持凹部の他方側に寄せて配設されたことを検知可能な位置決め検知部をさらに備える、コネクタ導通検査装置。
【請求項６】
請求項１から請求項５のいずれか一項に記載のコネクタ導通検査装置であって、
前記コネクタが前記支持凹部に対して底側まで挿入されていない状態で、前記ホルダーと前記検査部との近接移動を規制する近接規制部をさらに備える、コネクタ導通検査装置。
【請求項７】
請求項１から請求項６のいずれか一項に記載のコネクタ導通検査装置であって、
前記位置決め部には、前記支持凹部の前記挿入側開口側端部から底側に向けて前記支持凹部の幅方向他方側に傾斜する傾斜面が形成されている、コネクタ導通検査装置。
【請求項８】
請求項１から請求項７のいずれか一項に記載のコネクタ導通検査装置であって、
それぞれの前記コネクタには、寸法が異なる前記一方向の一端部に凸部が形成され、
前記位置決め部には、前記支持凹部の幅方向他方側で開口すると共に前記支持凹部の深さ方向に延在して前記コネクタの前記凸部を内側に配設可能な溝状の案内溝部が形成されている、コネクタ導通検査装置。
【発明の詳細な説明】
【技術分野】
【０００１】
この発明は、コネクタの導通検査を行う技術に関する。
【背景技術】
【０００２】
コネクタに複数の端子がそれぞれ正常に挿入配設されているかどうかを確認するために、導通検査装置が用いられることがある。特許文献１には、導通検査器が開示されている。
【０００３】
特許文献１の導通検査器は、コネクタを保持可能なコネクタ保持部と、コネクタに設けられる複数の端子に対応して複数の検査子が設けられた検査部とが相対接離移動可能に設けられている。そして、コネクタ保持部にコネクタが保持された状態で、コネクタ保持部と検査部とを相対近接移動させることにより、コネクタの導通検査を行う。
【先行技術文献】
【特許文献】
【０００４】
【特許文献１】特開２００６−３０８３７４号公報
【発明の概要】
【発明が解決しようとする課題】
【０００５】
ところで、車両に配索されるワイヤーハーネスには、複数の扁平な単層コネクタが積層された積層コネクタが組み込まれることがある。そして、同車種の車両であっても、仕様違いによって回路数が異なり、積層コネクタにおける単層コネクタの積層数が異なることもある。すなわち、積層数が異なる積層コネクタはそれぞれ全体サイズが異なる。この積層コネクタのようにサイズが異なるコネクタについて、１種類のコネクタ導通検査装置で導通検査を行う要請がある。
【０００６】
しかしながら、導通検査において、異なるサイズのコネクタを同じコネクタ導通検査装置で扱うと、小さいサイズのコネクタが所定の支持位置に配設されない恐れがあった。そして、コネクタが所定の支持位置に配設されない状態で導通検査を行ってしまうと、正確な導通検査を行うことができない。
【０００７】
そこで、本発明は、異なるサイズのコネクタに対応して導通検査を行うことを目的とする。
【課題を解決するための手段】
【０００８】
第１の態様は、嵌合方向に直交する一方向の寸法が異なる複数サイズが用意されたコネクタの導通検査をするコネクタ導通検査装置であって、前記コネクタを挿入可能な挿入用開口が設けられて、前記コネクタをそれぞれ寸法が異なる前記一方向が幅方向に沿う姿勢で支持可能な支持凹部が形成されたホルダーと、前記ホルダーに支持される前記コネクタの複数の端子に対して接続方向前方からそれぞれ対向する位置に設けられて前記端子の有無を検知可能な複数の検査子が設けられた検査部と、前記ホルダーと前記検査部とを、前記ホルダーに支持される前記コネクタと前記複数の検査子とが対向する方向に相対接離移動可能な移動機構部とを備え、前記ホルダーには、前記支持凹部の幅方向一方側に設けられて幅方向他方側に進出する進出位置と退避位置との間で移動可能で、前記コネクタそれぞれに対して前記支持凹部の幅方向一方側から接触して前記コネクタを前記支持凹部の幅方向他方側に寄せた位置に位置決め可能な位置決め部が設けられている。
【０００９】
第２の態様は、第１の態様に係るコネクタ導通検査装置であって、位置決め部は、支持凹部にコネクタが支持されていない状態で、進出位置に維持されるように構成されている。
【００１０】
第３の態様は、第２の態様に係るコネクタ導通検査装置であって、前記ホルダーには、前記位置決め部を前記進出位置側に付勢する位置決め付勢部が設けられている。
【００１１】
第４の態様は、第１から第３のいずれか一態様に係るコネクタ導通検査装置であって、前記ホルダーには、前記位置決め部に係止して前記位置決め部を前記進出位置に維持するロック部が設けられている。
【００１２】
第５の態様は、第１から第４のいずれか一態様に係るコネクタ導通検査装置であって、前記支持凹部内に配設された前記コネクタが前記支持凹部の他方側に寄せて配設されたことを検知可能な位置決め検知部をさらに備える。
【００１３】
第６の態様は、第１から第５のいずれか一態様に係るコネクタ導通検査装置であって、前記コネクタが前記支持凹部に対して底側まで挿入されていない状態で、前記ホルダーと前記検査部との近接移動を規制する近接規制部をさらに備える。
【００１４】
第７の態様は、第１から第６のいずれか一態様に係るコネクタ導通検査装置であって、前記位置決め部には、前記支持凹部の前記挿入側開口側端部から底側に向けて前記支持凹部の幅方向他方側に傾斜する傾斜面が形成されている。
【００１５】
第８の態様は、第１から第７のいずれか一態様に係るコネクタ導通検査装置であって、それぞれの前記コネクタには、寸法が異なる前記一方向の一端部に凸部が形成され、前記位置決め部には、前記支持凹部の幅方向他方側で開口すると共に前記支持凹部の深さ方向に延在して前記コネクタの前記凸部を内側に配設可能な溝状の案内溝部が形成されている。
【発明の効果】
【００１６】
第１の態様に係るコネクタ導通検査装置によると、支持凹部にコネクタを配設した状態でホルダーと検査部とを相対近接移動させることにより、複数の検査子によってホルダーに支持されたコネクタの複数の端子の有無を検知してコネクタの導通検査を行うことができる。また、位置決め部が、支持凹部の幅方向一方側に設けられて他方側に進出する進出位置と退避位置との間で移動可能で、コネクタそれぞれに対して幅方向一方側から接触して、コネクタを支持凹部の幅方向他方側に寄せた位置に位置決め可能である。このため、異なるサイズのコネクタを支持凹部内で位置決めして支持することができ、異なるサイズのコネクタに対応して導通検査を行うことができる。
【００１７】
第２の態様に係るコネクタ導通検査装置によると、位置決め部が、支持凹部にコネクタが支持されていない状態で進出位置に維持されるように構成されているため、位置決め部が退避位置にある状態で、小さいサイズのコネクタを支持凹部に支持してしまうことを抑制することができる。
【００１８】
第３の態様に係るコネクタ導通検査装置によると、位置決め付勢部により位置決め部が進出位置側に付勢されているため、支持凹部内に配設されたコネクタをより確実に支持凹部の幅方向他方側に寄せた位置に位置決めすることができる。
【００１９】
第４の態様に係るコネクタ導通検査装置によると、ロック部により位置決め部を進出位置に維持することができるため、小さいサイズのコネクタを支持する場合にも、より確実に位置決めをすることができる。
【００２０】
第５の態様に係るコネクタ導通検査装置によると、位置決め検知部により支持凹部内に配設されたコネクタが支持凹部の他方側に寄せて配設されたことを検知できるため、より確実にコネクタを位置決めした状態で導通検査をすることができる。
【００２１】
第６の態様に係るコネクタ導通検査装置であって、近接規制部によりコネクタが支持凹部に対して底部まで挿入された状態にのみホルダーと検査部とを近接移動させることができるため、コネクタがホルダーに正常に支持された状態でより正確に導通検査を行うことができる。
【００２２】
第７の態様に係るコネクタ導通検査装置によると、大きいサイズのコネクタが支持凹部に挿入される際に位置決め部の傾斜面に当接し、該傾斜面に摺接しつつ位置決め部を退避位置側に移動させることができるため、コネクタの支持凹部への挿入作業をより簡単にすることができる。
【００２３】
第８の態様に係るコネクタ導通検査装置によると、位置決め部の案内溝部が、支持凹部の幅方向他方側で開口すると共に深さ方向に延在する溝状に形成され、コネクタの寸法が異なる一方向の一端部に形成された凸部を内側に配設可能であるため、異なるサイズのコネクタをそれぞれより確実にホルダーに支持することができる。
【図面の簡単な説明】
【００２４】
【図１】検査部が離間位置にあるコネクタ導通検査装置の側面図である。
【図２】検査部が離間位置にあるコネクタ導通検査装置の平面図である。
【図３】検査部が近接位置にあるコネクタ導通検査装置の側面図である。
【図４】検査部が近接位置にあるコネクタ導通検査装置の平面図である。
【図５】単層コネクタの斜視図である。
【図６】単層コネクタの斜視図である。
【図７】１０層コネクタを示す図である。
【図８】９層コネクタを示す図である。
【図９】検査部及びホルダーの分解斜視図である。
【図１０】１０層コネクタを支持したホルダーの平面図である。
【図１１】９層コネクタを支持したホルダーの平面図である。
【図１２】図１０のＸＩＩ−ＸＩＩ線断面図である。
【図１３】図１１のＸＩＩＩ−ＸＩＩＩ線断面図である。
【図１４】１０層コネクタを支持する際の位置決め部の動作を示す図である。
【図１５】１０層コネクタを支持する際の位置決め部の動作を示す図である。
【発明を実施するための形態】
【００２５】
以下、実施形態に係るコネクタ導通検査装置１０について説明する（図１〜図４参照）。コネクタ導通検査装置１０は、コネクタの導通検査を行う装置である。
【００２６】
＜コネクタ＞
説明の便宜上、まず、嵌合対象となるコネクタについて説明しておく（図５〜図８参照）。ここでは、コネクタが雌コネクタである例で説明する。そして、コネクタについて、相手コネクタ等の接続対象に対して嵌合される方向を嵌合方向という（図７、図８における左右方向）。
【００２７】
また、ここでは、コネクタが積層コネクタである例で説明する。積層コネクタは、単層コネクタ１５が積層されて形成されている。単層コネクタ１５は、貫通方向を平行にして並列状に一列に形成された複数のキャビティを有し、複数のキャビティにそれぞれ雌端子が挿入配設されている。なお、キャビティ及び端子は図示を省略している。この単層コネクタ１５は、複数のキャビティが並ぶ方向及び雌端子の挿入方向に沿って扁平な直方体形状に形成されている（図５、図６参照）。ここで、単層コネクタ１５について、複数のキャビティが並ぶ方向を幅方向といい、複数のキャビティが並ぶ方向及び雌端子の挿入方向に直交する方向を厚さ方向という。
【００２８】
また、単層コネクタ１５の嵌合方向後端部には、幅方向両側に張り出す張出部１８が形成されている。なお、以下の説明において、コネクタ全体について説明する場合にも、積層された単層コネクタ１５の各張出部１８をまとめた全体として張出部１８と呼ぶことがある。
【００２９】
また、単層コネクタ１５は、互いに厚さ方向に合体可能に形成されている。より具体的には、単層コネクタ１５の厚さ方向一方側には、外面から前記一方側に突出する凸部１６が形成されている（図５参照）。この凸部１６は、複数設けられ、ここでは張出部１８からも突出するように設けられている。また、単層コネクタ１５の厚さ方向他方側には、外面において前記他方側に開口する凹部１７が形成されている（図６参照）。この凹部１７は、他の単層コネクタ１５の複数の凸部１６に対してそれぞれ嵌合可能な凹状に形成されている。そして、単層コネクタ１５が複数合体されることにより、積層コネクタが形成される。
【００３０】
このコネクタは、嵌合方向に直交する一方向（単層コネクタ１５の厚さ方向）の寸法が異なる複数のサイズが用意されている。ここでは、コネクタは、積層される単層コネクタ１５の数が異なることによるサイズ違いのものが用意されている。すなわち、車両の仕様（グレード）違いによっては、ワイヤーハーネスに組み込まれる回路数が異なることがある。例えば、コネクタにおいて、一方の仕様の車両では単層コネクタ１５を１０層積層した分の回路が採用され、他方の仕様の車両では単層コネクタ１５を９層積層した分の回路が採用されることもある。以下、コネクタのうち、単層コネクタ１５を１０層積層したものを１０層コネクタ１５ａ（図７参照）、単層コネクタ１５を９層積層したものを９層コネクタ１５ｂ（図８参照）と称して説明する。
【００３１】
また、コネクタのうちの積層方向における凹部１７側の端面には、凹部１７を覆う形態でリテーナ１９が設けられている。このリテーナ１９は、凹部１７側の端面から盛り上がった形態で設けられている。
【００３２】
＜コネクタ導通検査装置＞
コネクタ導通検査装置１０は、嵌合方向に直交する一方向（積層方向）の寸法が異なる複数サイズが用意されたコネクタ（上述した１０層コネクタ１５ａ或いは９層コネクタ１５ｂ）の導通検査を行うための装置である。このコネクタ導通検査装置１０は、検査部２０と、ホルダー３０と、位置決め検知部６０と、移動機構部７０と、近接規制部８０とを備えている（図１〜図４参照）。また、ホルダー３０には位置決め部４０及び近接規制部８０が設けられている。
【００３３】
そして、コネクタ導通検査装置１０は、ホルダー３０にコネクタを支持し、移動機構部７０が操作されることにより検査部２０とホルダー３０とを相対近接移動させることによりコネクタの導通検査を行うように構成されている。
【００３４】
＜検査部＞
検査部２０は、略直方体形状の本体部２２に複数の検査子２４が設けられて構成されている（図１、図２、図９参照）。本体部２２は、合成樹脂材料を射出成型した成型体等を組み合わせることにより形成されている。そして、検査部２０は、ホルダー３０に支持されたコネクタのキャビティに複数の検査子２４を挿入して、キャビティ内に各端子が正常に配設されているかどうか検査する。
【００３５】
ここでは、複数の検査子２４は、コンタクトプローブである。すなわち、コンタクトプローブである検査子２４は、コネクタに配設された端子に接触することにより導通して、端子の有無を検知可能である。複数の検査子２４は、一方向に沿って平行な姿勢で且つ先端側部分を本体部２２の一主面から突出させる形態で本体部２２に設けられている。また、複数の検査子２４は、最も大きいサイズのコネクタに設けられた複数の端子に対応して設けられている。ここでは、１０層コネクタ１５ａ（端子数が多いコネクタ）に配設された複数の端子と同数、同配列で設けられている。すなわち、複数の検査子２４は、１０層コネクタ１５ａの導通検査をする際には全てキャビティの中に挿入され（図１０参照）、９層コネクタ１５ｂの導通検査をする際には１列分がキャビティに挿入されないでいる（図１１参照）。
【００３６】
複数の検査子２４は、報知部９０に接続されているとよい（図１、図２参照）。そして、報知部９０は、複数の検査子２４による各端子の検知により、作業者等にコネクタの各キャビティに端子が正常に挿入されているかどうかを報知するように構成されているとよい。例えば、コネクタの端子が挿入されるべき複数のキャビティ全てで端子を検知すれば正常であることを報知し、複数のキャビティのいずれかで端子を検知できなければ異常であることを報知するとよい。また、例えば、報知部９０としては、ランプ、ブザー、液晶表示装置等を採用することができる。
【００３７】
また、本体部２２には、一主面で開口し、後述する近接規制部８０の他端部を挿入可能な挿入穴部２３が形成されている。ここでは挿入穴部２３は、略矩形状に開口する孔状に形成されている。
【００３８】
また、検査部２０には、本体部２２の一主面から突出した複数の検査子２４の先端側部分を囲う枠状のフード部が設けられている。また、検査部２０には、後述する移動機構部７０における基部７２のレール７４に対して移動可能に嵌合する走行部２６が形成されている。この走行部２６の詳細な形状については、移動機構部７０の説明と併せて後で詳述する。
【００３９】
＜ホルダー＞
ホルダー３０には、１０層コネクタ１５ａ或いは９層コネクタ１５ｂをそれぞれ寸法が異なる一方向（積層方向）が幅方向に沿う姿勢で支持可能な支持凹部３２が形成されている（図９〜図１３参照）。このホルダー３０は、一方側に開口する略Ｕ字状（ここでは略直方体形状の外形）に形成されている。すなわち、支持凹部３２は、略Ｕ字状の内側部分であり、コネクタを挿入可能な挿入用開口を有している。ここでは、ホルダー３０は、合成樹脂材料を射出成型等することにより形成された成型体等を組み合わせて構成されている。
【００４０】
より具体的には、支持凹部３２には、幅方向一方側の壁部に、後述する位置決め部４０を配設可能な位置決め部収容部３４が形成されている（図１０、図１１参照）。さらに、支持凹部３２の幅方向一方側の壁部には、位置決め部収容部３４に並んで張出部１８に設けられた凸部１６を配設可能な凸部収容部３５が形成されている。また、支持凹部３２には、幅方向他方側の壁部に、コネクタのリテーナ１９を配設可能なリテーナ収容部３６が形成されている。位置決め部収容部３４、凸部収容部３５及びリテーナ収容部３６は、支持凹部３２の内側及び開口側で開口し、深さ方向に沿って延在する溝状に形成されている。さらに、支持凹部３２には、底部に、コネクタの一方の張出部１８を配設可能な張出部収容部３７が形成されている。この張出部収容部３７は、支持凹部３２の開口側に向けて開口し、幅方向に沿って延在する溝状に形成されている。
【００４１】
また、ホルダー３０には、支持凹部３２の幅方向他方側の部分に、後述する位置決め検知部６０を収容可能な検知部収容部３８が形成されている。この検知部収容部３８は、リテーナ収容部３６の内部空間に底部で連通する凹形状に形成されている。さらに、ホルダー３０には、支持凹部３２の底部に、後述する近接規制部８０を配設可能な規制部収容部３９が形成されている。この規制部収容部３９の形状については、近接規制部８０の説明と共に後で詳述する。
【００４２】
そして、コネクタは、支持凹部３２に対して、積層方向が幅方向に沿うと共に幅方向他方側にリテーナ１９が位置する姿勢で、一方の張出部１８が張出部収容部３７内に配設されるように、挿入開口部を通じて挿入される（図１０〜図１３参照）。
【００４３】
＜移動機構部＞
移動機構部７０は、検査部２０とホルダー３０とを相対接離移動可能に形成されている（図１、図３参照）。この移動機構部７０は、基部７２と、操作レバー７６と、リンク７８とを有している。
【００４４】
基部７２は、検査部２０とホルダー３０とを相対接離移動可能に支持する部分である。検査部２０とホルダー３０とは、検査部２０の複数の検査子２４が突出する方向と、ホルダー３０が支持するコネクタの嵌合方向とを一致させ、検査部２０の複数の検査子２４の先端部とホルダー３０が支持するコネクタの前端部とを向き合わせる姿勢で、基部７２に支持される。
【００４５】
基部７２は、部分的に溝状に形成され、その内側に検査部２０及びホルダー３０の一部分が配設される。ここでは、ホルダー３０のうちの支持凹部３２の底側の端部は、基部７２の溝状部分の内側に配設可能に形成されている。そして、ホルダー３０は、支持凹部３２の底側の端部が基部７２の溝状部分の内側に配設された状態で、基部７２に対してねじ止め等により固定されるている。また、検査部２０は、基部７２に対して、複数の検査子２４の突出方向において、ホルダー３０に対して接離移動可能に支持される。より具体的には、基部７２には、検査部２０の走行部２６に嵌合して、検査部２０を案内するレール７４が設けられている。レール７４は、基部７２の溝状部分のうちの対向する内壁面の底部に対して間隔をあけた部分から内側に突出し、溝状部分の延在方向に沿って延在する形状に形成されている。ここでは、レール７４は断面視略矩形状に形成されている。一方、走行部２６は、本体部２２の底側に設けられ、基部７２の溝状部分の内側に配設可能に形成されている。この走行部２６には、両側部に複数の検査子２４の突出方向に沿った嵌合溝部が形成されている。嵌合溝部は、内側にレール７４を相対移動可能に配設可能な（ここではレール７４の外形より僅かに大きい略直方体空間を有する）形状に形成されている。
【００４６】
そして、基部７２に対して移動可能に支持された検査部２０は、基部７２に対して固定されたホルダー３０に対して、検査子２４の突出方向に沿って近接位置と離間位置との間で移動可能となる。ここで、近接位置とは、検査部２０とホルダー３０とが、複数の検査子２４がホルダー３０に支持されたコネクタに設けられた端子に接触するまで近接された位置である（図２、図４参照）。ここでは、近接位置では、検査部２０の本体部２２がホルダー３０に当接する。また、離間位置とは、検査部２０とホルダー３０とが、複数の検査子２４の先端部とコネクタの前端部とが間隔をあけるように離間した位置である（図１、図３参照）。ここでは、離間位置では、検査部２０がレバー支持部７５又は操作レバー７６に当接する。
【００４７】
また、基部７２には、検査部２０の嵌合方向後方の位置に、操作レバー７６を回転軸周りに回転可能に支持するレバー支持部７５が設けられている。操作レバー７６は、リンク７８を介して検査部２０に連結され、検査部２０のホルダー３０に対する接離移動操作をするための部分である。この操作レバー７６は、レバー支持部７５に対して、基部７２の溝状部分の対向する壁部を結ぶ方向に沿った回転軸周りに姿勢変更可能に支持されている。ここでは、操作レバー７６は、前記回転軸に直交する平面に沿った扁平な形状に形成されている。より具体的には、操作レバー７６は、側面視において、回転軸側の基端側部分と反対側の先端側部分との間に鈍角を成す屈曲部を有する長尺状に形成されている。
【００４８】
リンク７８は、一端部が検査部２０の側部に対して回転軸周りに姿勢変更可能に連結され、他端部が操作レバー７６の側部に対して回転軸周りに姿勢変更可能に連結されている。より具体的には、リンク７８の他端部は、操作レバー７６の回転軸に対して間隔をあけた回転軸周りに姿勢変更可能に支持されている。また、リンク７８は、検査部２０及び操作レバー７６の両側部にそれぞれ設けられている。なお、一対のリンク７８は、扁平形状に形成され、操作レバー７６と平行な姿勢で設けられている。
【００４９】
そして、リンク７８を介して検査部２０に連結された操作レバー７６は、嵌合姿勢と解除姿勢との間で姿勢変更可能となっている。嵌合姿勢は、検査部２０を近接位置に移動させた姿勢である。また、解除姿勢は、検査部２０を離間位置に移動させた姿勢である。
【００５０】
＜位置決め部＞
ホルダー３０には、位置決め部４０が設けられている（図１０〜図１１参照）。位置決め部４０は、支持凹部３２内に配設されるコネクタそれぞれ（１０層コネクタ１５ａ、９層コネクタ１５ｂ）を、支持凹部３２の幅方向他方側に寄せた位置に位置決めする。
【００５１】
この位置決め部４０は、支持凹部３２の幅方向一方側に設けられて、他方側に進出する進出位置（図１１、図１３参照）と退避位置（図１０、図１２参照）との間で移動可能に設けられている。また、位置決め部４０は、支持凹部３２の幅方向において、支持凹部３２内の他方側に寄せて配設されたコネクタそれぞれの一方側の端部に接触する。より具体的には、位置決め部４０は、支持凹部３２の幅方向において、退避位置で位置決め部収容部３４に押し込まれ、進出位置で退避位置より支持凹部の内側に進出する。
【００５２】
位置決め部４０は、厚底の角樋状に形成されている。そして、位置決め部４０は、長手方向を支持凹部３２の深さ方向に沿わせる姿勢で位置決め部収容部３４に配設される。より具体的には、位置決め部４０には、支持凹部３２の内側に開口すると共に、支持凹部３２の深さ方向に沿って延在してコネクタに形成された凸部１６（張出部１８に形成された凸部１６を除く）を内側に配設可能な案内溝部４４が形成されている。この案内溝部４４は、コネクタの嵌合方向における凸部１６の寸法と同じかそれより大きい（ここでは僅かに大きい）幅寸法に設定されている。すなわち、案内溝部４４は、支持凹部３２に配設されるコネクタの凸部１６を内側に配設して、コネクタを検査部２０の移動方向に位置規制する。
【００５３】
また、位置決め部４０には、検査部２０の移動方向に貫通すると共に、支持凹部３２の幅方向に長い長孔部４２が形成されている（図１２、図１３参照）。この長孔部４２は、支持凹部３２の深さ方向に間隔をあけて一対設けられている。また、位置決め部収容部３４には、検査部２０の移動方向に沿って架け渡された一対の支持軸部３４ｓが設けられている。一対の支持軸部３４ｓは、支持凹部３２の深さ方向に間隔をあけて設けられている。そして、位置決め部４０は、一対の支持軸部３４ｓを一対の長孔部４２にそれぞれ挿通した状態で、支持軸部３４ｓが長孔部４２内を相対移動することにより、進出位置と退避位置との間で移動する。
【００５４】
支持軸部３４ｓは、円柱棒状に形成されている。長孔部４２は、支持軸部３４ｓの直径より大きい幅寸法に設定されている。すなわち、支持軸部３４ｓは、長孔部４２の幅方向に相対移動可能である。そして、位置決め部４０は、一対の支持軸部３４ｓに支持されて支持凹部３２の深さ方向に沿った姿勢から傾いた姿勢に姿勢変更可能となっている。また、長孔部４２は、支持軸部３４ｓが進出位置と退避位置との間の距離分移動可能な長手寸法に設定されている。ここでは、進出位置と退避位置との間の距離は、単層コネクタ１５の本体部分の厚さ寸法（１０層コネクタ１５ａと９層コネクタ１５ｂとの積層方向の寸法差）と同じかそれより僅かに大きく設定される。
【００５５】
また、位置決め部４０は、支持凹部３２にコネクタ１２が支持されていない状態で進出位置に維持されるように構成されている。ここでは、ホルダー３０には、位置決め部４０を進出位置側に付勢する位置決め付勢部４３が設けられている。ここでは、位置決め付勢部４３は、位置決め部４０のうちの長手方向における半分より先端側（支持凹部３２の挿入側開口側）の部分を付勢するように配設されている。
【００５６】
また、位置決め部４０には、基端部のうちの支持凹部３２の外側の端縁部が丸められた湾曲部４５が形成されている。そして、位置決め部４０は、先端側部分が退避位置側に押動されると、支持軸部３４ｓが長孔部４２内を長尺方向及び幅方向に相対移動して、湾曲部４５の丸みによって位置決め部収容部３４に対する引っ掛かりが抑制され、先端側部分が退避位置側に傾いた姿勢に姿勢変更する（図１５参照）。さらに、位置決め部４０は、基端側部分も退避位置側に押動されると、全体的に退避位置に移動されて、支持凹部３２の深さ方向に沿った姿勢に姿勢変更する（図１２参照）。
【００５７】
また、位置決め部４０には、支持凹部３２の挿入側開口側端部から底側に向けて支持凹部３２の内側に傾斜する傾斜面４６が形成されている（図１４参照）。すなわち、案内溝部４４は、先端側部分（支持凹部３２の挿入側開口側部分）において、基端側に近付くにつれて対向する壁部の突出寸法が徐々に大きくなっている。さらに、位置決め部４０には、傾斜面４６から先端面に連続する湾曲面４７が形成されている。そして、コネクタが湾曲面４７及び傾斜面４６に摺接しつつ支持凹部３２内に挿入されると、位置決め部４０は、湾曲面４７及び傾斜面４６がコネクタに沿って退避位置側に移動される。
【００５８】
＜ロック部＞
また、ホルダー３０には、位置決め部４０に係止して該位置決め部４０を進出位置に維持するロック部５０が設けられている（図１２、図１３参照）。一方、位置決め部４０には、ロック部５０が係止可能な係止用凹部４８が形成されている。係止用凹部４８は、位置決め部４０の先端面で開口している。ロック部５０は、係止用凹部４８に係止する係止姿勢（図１３参照）と、係止解除した解除姿勢（図１２参照）との間で姿勢変更可能に設けられている。ここでは、ロック部５０は、長尺棒状の本体部分の先端部から一側方に突出する係止突起５２と、本体部分の基端部から他側方に突出する操作突起５４とを有している。このロック部５０は、ホルダー３０に対して姿勢変更可能に軸支されている。より具体的には、ロック部５０には、本体部分の長手方向中間部から一側方に突出する軸支部分がホルダー３０に設けられた軸部周りに姿勢変更可能に支持されている。また、ロック部５０は、ロック付勢部５６により、係止姿勢側に付勢されている。ここでは、ロック付勢部５６は、コイルバネであり、ロック部５０の本体部分の基端部を操作突起５４が突起する向きに付勢するように圧縮状態で配設されている。
【００５９】
そして、ロック部５０は、位置決め部４０が進出位置にある状態で、係止突起５２が係止用凹部４８内に進入して係止姿勢になる。この際、ロック部５０は、ロック付勢部５６により係止姿勢に維持される。また、操作突起５４をロック付勢部５６の付勢力に逆らって押動すると、係止突起５２が係止用凹部４８から抜け出す。これにより、位置決め部４０は、進出位置から退避位置に移動可能となる。位置決め部４０が退避位置にある状態では、ロック部５０は係止用凹部４８から抜け出たままの状態に維持される。位置決め部４０が退避位置から進出位置に移動されると、位置決め部４０の湾曲面４７が係止突起５２に当接し、位置決め部４０が進出位置に移動されるのに伴って係止突起５２が湾曲面４７に沿って押し上げられ、ロック部５０は解除姿勢に姿勢変更される。そして、係止用凹部４８が係止突起５２に対向する位置まで位置決め部４０が移動されると、ロック付勢部５６の付勢力によりロック部５０が係止姿勢に姿勢変更される。
【００６０】
＜位置決め検知部＞
位置決め検知部６０は、支持凹部３２内に配設されたコネクタが支持凹部３２の幅方向他方側に寄せて配設されたことを検知する。ここでは、位置決め検知部６０は、スイッチ部６２を押されるとオフからオンに切替えられるマイクロスイッチである。この位置決め検知部６０は、スイッチ部６２をリテーナ収容部３６内に突出させるように、検知部収容部３８内に配設されている（図１２、図１３参照）。
【００６１】
すなわち、位置決め検知部６０は、支持凹部３２に挿入されたコネクタが支持凹部３２の幅方向他方側に寄せて配設されている状態で、コネクタのリテーナ１９によりスイッチ部６２を押されてオンする（図１０参照）。
【００６２】
位置決め検知部６０は、報知部９５に接続されているとよい（図１、図２参照）。そして、報知部９５は、位置決め検知部６０によるコネクタ（リテーナ１９）の検知により、作業者等にコネクタが支持凹部３２の幅方向他端側に寄せた位置に位置決めされているかどうかを報知するように構成されているとよい。例えば、報知部９５としては、ランプ、ブザー、液晶表示装置等を採用することができる。なお、報知部９５は報知部９０と兼用されていてもよい。
【００６３】
＜近接規制部＞
近接規制部８０は、コネクタが支持凹部３２に対して底側まで挿入されていない状態で、ホルダー３０と検査部２０との近接移動を規制する（図１、図３参照）。この近接規制部８０は、規制姿勢と規制解除姿勢との間で姿勢変更可能に設けられている。ここでは、近接規制部８０は、略Ｌ字形状に形成され、規制部収容部３９内に姿勢変更可能に軸支されている。より具体的には、規制部収容部３９は、ホルダー３０の支持凹部３２の底面と検査部２０側面とで開口する略Ｌ字形状の貫通孔状に形成されている。ホルダー３０の検査部２０側面で開口する開口部は、検査部２０の移動方向において、検査部２０の挿入穴部２３と対向する位置に形成されている。そして、近接規制部８０は、一端部を支持凹部３２の底面で開口する開口部を通じて突出させると共に、他端部をホルダー３０の検査部２０側面で開口する開口部を通じて突出させる形態で配設されている。
【００６４】
近接規制部８０は、一端部が規制部収容部３９に押し込まれると、屈曲部より他端側の部分が検査部２０の移動方向に沿う解除姿勢に姿勢変更する（図３参照）。また、近接規制部８０は、他端側部分が一端側部分より長く形成されており、一端部が押し込まれない状態では、重力により他端部が下がって検査部２０の移動方向に対して傾斜した規制姿勢に姿勢変更する（図１参照）。そして、近接規制部８０が解除姿勢の状態で検査部２０がホルダー３０に近接移動されると、近接規制部８０の他端部が挿入穴部２３内に挿入される。すなわち、検査部２０を近接位置まで移動させることができる。一方、近接規制部８０が規制姿勢の状態で検査部２０がホルダー３０に近接移動されると、近接規制部８０の他端部が検査部２０の一主面のうちの挿入穴部２３の周りの部位に当接する。すなわち、検査部２０を近接位置まで移動させることができない。
【００６５】
＜動作＞
次に、コネクタの導通検査作業におけるコネクタ導通検査装置１０の動作について説明する。コネクタ導通検査装置１０は、初期状態として、操作レバー７６が解除姿勢に維持されることにより、検査部２０が離間位置に位置しているものとする（図１、図２参照）。また、初期状態では、支持凹部３２に対してコネクタが配設されていない。
【００６６】
まず、支持凹部３２内にコネクタを挿入する。先に、支持凹部３２内にコネクタとして１０層コネクタ１５ａを挿入する際の位置決め部４０の動作について説明する。まず、位置決め部４０を退避位置に移動可能にするため、ロック部５０による位置決め部４０の係止状態を解除する（図１４参照）。すなわち、ロック部５０は、操作突起５４を押されることにより、係止姿勢から解除姿勢に姿勢変更される。
【００６７】
１０層コネクタ１５ａを支持凹部３２内に挿入すると、１０層コネクタ１５ａが位置決め部４０の湾曲面４７及び傾斜面４６の少なくとも一方に当接する。挿入に伴って、１０層コネクタ１５ａが傾斜面４６に摺接しつつ、位置決め部４０を位置決め付勢部４３の付勢力に逆らって進出位置から退避位置に移動させる（図１５参照）。より具体的には、位置決め部４０は、はじめに先端側部分が基端側部分より先に退避位置側に移動して傾き、１０層コネクタ１５ａが支持凹部３２の底側まで挿入されると基端側部分が退避位置側に移動し、全体として退避位置に移動される（図１２参照）。すなわち、１０層コネクタ１５ａは、位置決め部４０が退避位置にある状態で支持凹部３２内に配設される。また、１０層コネクタ１５ａの張出部１８に設けられた凸部１６は、コネクタが支持凹部３２に挿入される際に、凸部収容部３５内に配設される。
【００６８】
一方、９層コネクタ１５ｂは、位置決め部４０が退避位置にある状態のまま支持凹部３２内に挿入される。なお、９層コネクタ１５ｂの支持凹部３２に対する挿入作業は、位置決め部４０が進出位置にあるままで行う。すなわち、９層コネクタ１５ｂの挿入作業では、ロック部５０を係止姿勢のままにしておくとよい。これにより、位置決め部４０は、進出位置に維持される。また、９層コネクタ１５ｂの場合、張出部１８に設けられた凸部１６は、凸部収容部３５内には配設されない。
【００６９】
また、コネクタのリテーナ１９は、リテーナ収容部３６内に配設される。そして、コネクタが支持凹部３２に挿入される際に、リテーナ収容部３６内に突出するスイッチ部６２が押されて位置決め検知部６０がオンする。これにより、位置決め検知部６０に接続される報知部９５が作業者に報知し、作業者はコネクタが支持凹部３２の幅方向他端側に寄せた位置に位置決めされたことを確認することができる。
【００７０】
また、コネクタの一方の張出部１８は、コネクタが支持凹部３２の奥まで挿入されると、張出部収容部３７内に配設される。さらに、コネクタが支持凹部３２の奥まで挿入されると、コネクタによって近接規制部８０の一端部が規制部収容部３９に押し込まれる。これにより、近接規制部８０は、規制姿勢から解除姿勢に姿勢変更される。
【００７１】
この状態で、操作レバー７６を解除姿勢から規制姿勢に姿勢変更させる（図３、図４参照）。すると、検査部２０は、離間位置から近接位置に移動される。この際に、解除姿勢に姿勢変更された近接規制部８０の他端部が、検査部２０の挿入穴部２３内に挿入される。
【００７２】
そして、支持凹部３２に支持されたコネクタのキャビティに複数の検査子２４が挿入される。より具体的には、１０層コネクタ１５ａが支持凹部３２に配設されている場合、複数の検査子２４が全て１０層コネクタ１５ａのキャビティに挿入される（図１０参照）。一方、９層コネクタ１５ｂが支持凹部３２に配設されている場合、複数の検査子２４のうちの支持凹部３２の幅方向一方側の一列分がキャビティに挿入されないまま、他の複数の検査子２４がキャビティに挿入される（図１１参照）。
【００７３】
複数の検査子２４が挿入された各キャビティに端子が正常に挿入されている場合には、複数の検査子２４が端子と導通する。これにより、複数の検査子２４に接続される報知部９０が作業者に報知し、作業者はコネクタに各端子が正常に挿入されていることを確認することができる。一方、複数の検査子２４が挿入された複数のキャビティのいずれかに端子が正常に挿入されていない場合には、そのキャビティに挿入される検査子２４が導通しない。
【００７４】
コネクタの導通検査が完了すると、操作レバー７６を規制姿勢から解除姿勢に姿勢変更させる（図１、図２参照）。これにより、検査部２０は、近接位置から離間位置に移動される。検査部２０が離間位置に戻された後、コネクタを支持凹部３２から取り出す。支持凹部３２から１０層コネクタ１５ａが取り出されると、ホルダー３０が位置決め付勢部４３の付勢力によって位置決め部４０が退避位置から進出位置に移動される。また、ロック部５０は、位置決め部４０が進出位置に移動されると、ロック付勢部５６の付勢力によって解除姿勢から係止姿勢に姿勢変更され、位置決め部４０を進出位置に維持する。
【００７５】
なお、上記動作において、コネクタが支持凹部３２に対して完全に奥まで挿入されない場合、近接規制部８０が解除姿勢まで姿勢変更されない。この状態で検査部２０離間位置から近接位置に向けて移動されると、近接規制部８０の他端部が挿入穴部２３に挿入されずにその周りの検査部２０の一主面に当接する。これにより、コネクタ導通検査装置１０は、コネクタが支持凹部３２に対して正常に配設されていない状態では、コネクタの導通検査に係る動作を行うことができない。
【００７６】
＜効果＞
上記実施形態に係るコネクタ導通検査装置１０によると、支持凹部３２にコネクタを配設した状態でホルダー３０と検査部２０とを相対近接移動させることにより、複数の検査子２４によってホルダー３０に支持されたコネクタの複数の端子の有無を検知してコネクタの導通検査を行うことができる。また、位置決め部４０が、支持凹部３２の幅方向一方側に設けられて幅方向他方側に進出する進出位置と退避位置との間で移動可能であり、コネクタそれぞれに対して支持凹部３２の幅方向一方側から接触して、コネクタを支持凹部３２の幅方向他方側に寄せた位置に位置決め可能である。このため、異なるサイズのコネクタを支持凹部３２内で位置決めして支持することができ、異なるサイズのコネクタに対応して導通検査を行うことができる。すなわち、ワイヤーハーネスの組立工程において、組立図板上に設置する導通検査治具を異なるサイズのコネクタで共用する１つのコネクタ導通検査装置１０にできる。これにより、導通検査治具の個数削減及びこれに伴う導通検査の省スペース化を実現できる。
【００７７】
また、位置決め部４０が、支持凹部３２にコネクタ１２が支持されていない状態で進出位置に維持されるように構成されているため、位置決め部４０が退避位置にある状態で、小さいサイズのコネクタ１２を支持凹部３２に支持してしまうことを抑制することができる。そして、小さいサイズのコネクタ１２が、位置決め部４０が退避位置にある支持凹部３２に支持された時に危惧される検査不良を抑制することができる。
【００７８】
また、位置決め付勢部４６により位置決め部４０が進出位置側に付勢されているため、支持凹部３２内に配設されたコネクタをより確実に支持凹部３２の幅方向他方側に寄せた位置に位置決めすることができる。
【００７９】
また、ロック部５０により位置決め部４０を進出位置に維持することができるため、小さいサイズのコネクタを支持する場合にも、より確実に位置決めをすることができる。
【００８０】
また、位置決め検知部６０により支持凹部３２内に配設されたコネクタが支持凹部３２の他方側に寄せて配設されたことを検知できるため、より確実にコネクタを位置決めした状態で導通検査をすることができる。
【００８１】
また、近接規制部８０によりコネクタが支持凹部３２に対して底部まで挿入された状態にのみホルダー３０と検査部２０とを近接移動させることができるため、コネクタがホルダー３０に正常に支持された状態でより正確に導通検査を行うことができる。
【００８２】
また、大きいサイズのコネクタ（ここでは１０層コネクタ１５ａ）が支持凹部３２に挿入される際に位置決め部４０の傾斜面に当接し、該傾斜面に摺接しつつ位置決め部４０を退避位置側に移動させることができるため、コネクタの支持凹部３２への挿入作業をより簡単にすることができる。
【００８３】
また、位置決め部４０の案内溝部４４が、支持凹部３２の幅方向他方側で開口すると共に深さ方向に延在する溝状に形成され、コネクタの寸法が異なる一方向の一端部に形成された凸部１６を内側に配設可能であるため、異なるサイズのコネクタをそれぞれより確実にホルダー３０に支持することができる。
【００８４】
＜変形例＞
これまで、コネクタが積層コネクタである例で説明してきたが、これに限られるものではない。すなわち、コネクタは、相手コネクタ等の接続対象に対する嵌合方向に直交する一方向の寸法が異なる複数のサイズが用意されていればよい。
【００８５】
これまで、移動機構部７０により検査部２０をホルダー３０に対して接離移動させる構成について説明してきたが、これに限られるものではない。すなわち、検査部２０が基部７２に対して固定され、ホルダー３０が検査部２０に対して接離移動可能に配設され、移動機構部により移動されていてもよい。さらに、検査部２０及びホルダー３０の両方が相互に接離移動可能に配設され、移動機構部によりそれぞれ移動されていてもよい。
【００８６】
これまで、コネクタとして１０層コネクタ１５ａと９層コネクタ１５ｂとを導通検査対象としてきたが、コネクタとして、より多くのサイズ違いのものを嵌合対象とすることもできる。例えば、１０層コネクタ１５ａ及び９層コネクタ１５ｂに加えて、単層コネクタ１５が８層積層された８層コネクタを導通検査対象としてもよい。
【００８７】
この場合、位置決め部は、９層コネクタ１５ｂを位置規制する位置と８層コネクタとを位置規制する位置との２段階の進出位置に移動可能に設けられているとよい。また、ロック部も、２段階の進出位置で位置決め部を維持可能に形成されているとよい。
【００８８】
また、検査子２４が接触プローブである例で説明してきたが、これに限られるものではない。すなわち、検査子は、ホルダー３０に支持されたコネクタの複数の端子それぞれの有無を検知可能であれば、例えば、先端部がスイッチになったスイッチ付プローブでもよいし、その他の接触式センサ及び非接触式センサでもよい。
【００８９】
また、位置決め検知部６０がコネクタのリテーナ１９に接触することによりコネクタが支持凹部３２の幅方向他方側に寄った位置に配設されていることを検知する例で説明してきたが、これに限られるものではない。すなわち、位置決め検知部６０は、コネクタの寸法が異なる一方向における他端部のうちのリテーナ１９が設けられる以外の部位に接触するように設けられていてもよい。
【００９０】
また、位置決め検知部６０がマイクロスイッチである例で説明してきたが、これに限られるものではない。すなわち、位置決め検知部は、支持凹部３２に挿入されたコネクタが支持凹部３２の幅方向他方側に寄った位置に配設されていることを検知可能であればよく、例えば、スイッチ付プローブ等の接触式センサ又は光学式センサ等の非接触式センサでもよい。
【００９１】
また、近接規制部８０は、上述した構成に限られるものではなく、進退ピンと姿勢変更バーとの２部材で構成されていてもよいし、支持凹部３２の底部にスイッチを設け、スイッチのオンによってエアシリンダ等による検査部２０の移動規制を解除する構成を採用してもよい。
【００９２】
以上のように、コネクタ導通検査装置１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００９３】
１０  コネクタ導通検査装置
１５ａ  １０層コネクタ
１５ｂ  ９層コネクタ
１６  凸部
２０  検査部
２４  検査子
３０  ホルダー
３２  支持凹部
４０  位置決め部
４３  位置決め付勢部
４４  案内溝部
４６  傾斜面
５０  ロック部
６０  位置決め検知部
７０  移動機構部
８０  近接規制部
【図１】
2014157660.tif 000003
【図２】
2014157660.tif 000004
【図３】
2014157660.tif 000005
【図４】
2014157660.tif 000006
【図５】
2014157660.tif 000007
【図６】
2014157660.tif 000008
【図７】
2014157660.tif 000009
【図８】
2014157660.tif 000010
【図９】
2014157660.tif 000011
【図１０】
2014157660.tif 000012
【図１１】
2014157660.tif 000013
【図１２】
2014157660.tif 000014
【図１３】
2014157660.tif 000015
【図１４】
2014157660.tif 000016
【図１５】
2014157660.tif 000017